【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、
前記分離部から前記鑑別部を経て前記一時保留部に至る前記搬送路で形成される取込紙幣搬送路と、
該取込紙幣搬送路の前記鑑別部と前記一時保留部との間で分岐して前記集積部に至る前記搬送路で形成される入金リジェクト紙幣搬送路と、
前記一時保留部から前記鑑別部を経て前記集積部に至る前記搬送路で形成される第１の返却紙幣搬送路とを設け、
前記分離部に投入された紙幣を繰出して、前記取込紙幣搬送路により前記一時保留部に搬送して集積しながら、前記鑑別部で入金リジェクト紙幣と鑑別された紙幣を入金リジェクト紙幣搬送路により前記集積部に搬送して集積する紙幣取込処理を実行している場合に、前記取込紙幣搬送路および入金リジェクト紙幣搬送路におけるジャムの発生を検出する手段と、
該ジャムの発生を検出したときに、前記取込紙幣搬送路と前記入金リジェクト紙幣搬送路とを前記集積部の方向に空転させて、前記取込紙幣搬送路および入金リジェクト紙幣搬送路に残留する残留紙幣を、前記集積部へ搬送して除去する手段と、
前記残留紙幣の除去後に、前記分離部から１枚の紙幣を繰出して前記取込紙幣搬送路と前記入金リジェクト紙幣搬送路とにより前記集積部へ搬送して集積するクリーニング手段と、
前記残留紙幣の除去後に、前記一時保留部から１枚の紙幣を繰出して前記第１の返却紙幣搬送路により前記集積部へ搬送して集積するクリーニング手段と、を備えることを特徴とする自動取引装置。
【請求項２】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、
前記分離部から前記鑑別部を経て前記一時保留部に至る前記搬送路で形成される取込紙幣搬送路と、
該取込紙幣搬送路の前記鑑別部と前記一時保留部との間で分岐して前記集積部に至る前記搬送路で形成される入金リジェクト紙幣搬送路と、
前記一時保留部から前記鑑別部を経て前記集積部に至る前記搬送路で形成される第１の返却紙幣搬送路とを設け、
前記一時保留部に集積されている紙幣を繰出して、前記第１の返却紙幣搬送路により前記集積部へ搬送して集積する紙幣返却処理を実行している場合に、前記第１の返却紙幣搬送路におけるジャムの発生を検出する手段と、
該ジャムの発生を検出したときに、前記第１の返却紙幣搬送路と前記入金リジェクト紙幣搬送路とを前記集積部の方向に空転させて、前記第１の返却紙幣搬送路に残留する残留紙幣を、前記集積部へ搬送して除去する手段と、
前記残留紙幣の除去後に、前記一時保留部から１枚の紙幣を繰出して、前記第１の返却紙幣搬送路により前記集積部へ搬送して集積するクリーニング手段と、
該クリーニング手段により紙幣を前記集積部へ集積した後に、該集積部に集積した紙幣を前記分離部へ移動させる手段と、
該分離部へ移動させた紙幣を、前記分離部から１枚繰出して、前記取込紙幣搬送路と前記入金リジェクト紙幣搬送路とにより前記集積部へ搬送して集積するクリーニング手段と、を備えることを特徴とする自動取引装置。
【請求項３】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、
前記一時保留部から前記鑑別部を経て前記紙幣収納部に至る前記搬送路で形成される収納紙幣搬送路を設け、
前記一時保留部に集積されている紙幣を繰出して、前記収納紙幣搬送路により前記紙幣収納部へ搬送して集積する紙幣収納処理を実行している場合に、前記収納紙幣搬送路におけるジャムの発生を検出する手段と、
該ジャムの発生を検出したときに、前記収納紙幣搬送路を前記一時保留部の方向に空転させて、前記収納紙幣搬送路に残留する残留紙幣を、前記一時保留部へ搬送して除去する手段と、
前記残留紙幣の除去後に、前記一時保留部から１枚の紙幣を繰出して、前記収納紙幣搬送路により前記紙幣収納部へ搬送して集積するクリーニング手段と、を備えることを特徴とする自動取引装置。
【請求項４】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、出金には適さない紙幣と鑑別された紙幣を収納する出金リジェクト紙幣収納部と、紙幣を搬送する複数の搬送路とを備えた自動取引装置において、
前記紙幣収納部から前記鑑別部を経て前記集積部に至る前記搬送路で形成される出金紙幣搬送路と、
該出金紙幣搬送路の前記鑑別部と前記集積部との間で分岐して前記出金リジェクト紙幣収納部に至る前記搬送路で形成される出金リジェクト紙幣搬送路とを設け、
前記紙幣収納部に収納されている紙幣を繰出して、前記出金紙幣搬送路により前記集積部に搬送して集積しながら、前記鑑別部で出金リジェクト紙幣と鑑別された紙幣を、出金リジェクト紙幣搬送路により前記出金リジェクト紙幣収納部に搬送して集積する出金紙幣集積処理を実行している場合に、前記出金紙幣搬送路および出金リジェクト紙幣搬送路におけるジャムの発生を検出する手段と、
該ジャムの発生を検出したときに、前記出金紙幣搬送路を前記集積部の方向に空転させて、前記出金紙幣搬送路に残留する残留紙幣を、前記集積部へ搬送して除去する手段と、
前記出金リジェクト紙幣搬送路を前記出金リジェクト紙幣収納部の方向に空転させて、出金リジェクト紙幣搬送路に残留する残留紙幣を、前記出金リジェクト紙幣収納部へ搬送して除去する手段と、
前記残留紙幣を前記集積部および前記出金リジェクト紙幣収納部へ除去した後に、前記紙幣収納部から１枚の紙幣を繰出して前記出金紙幣搬送路により前記集積部へ搬送して集積するクリーニング手段と、
前記残留紙幣を前記集積部および前記出金リジェクト紙幣収納部へ除去した後に、前記紙幣収納部から１枚の紙幣を繰出して前記出金紙幣搬送路および前記出金リジェクト紙幣搬送路により前記出金リジェクト紙幣収納部へ搬送して集積するクリーニング手段と、を備えることを特徴とする自動取引装置。
【請求項５】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、顧客が入金して取引未完了の紙幣を収納する取引未完了取込紙幣収納部と、紙幣を搬送する複数の搬送路とを備えた自動取引装置において、
前記一時保留部から前記鑑別部を経て前記取引未完了取込紙幣収納部に至る前記搬送路で形成される取引未完了取込紙幣搬送路を設け、
前記一時保留部に集積されている紙幣を繰出して、前記取引未完了取込紙幣搬送路により前記取引未完了取込紙幣収納部へ搬送して集積する取引未完了取込紙幣収納処理を実行している場合に、前記取引未完了取込紙幣搬送路におけるジャムの発生を検出する手段と、
該ジャムの発生を検出したときに、前記取引未完了取込紙幣搬送路を前記一時保留部の方向に空転させて、前記取引未完了取込紙幣搬送路に残留する残留紙幣を、前記一時保留部へ搬送して除去する手段と、
前記残留紙幣の除去後に、前記一時保留部から１枚の紙幣を繰出して、前記取引未完了取込紙幣搬送路により前記取引未完了取込紙幣収納部へ搬送して集積するクリーニング手段と、を備えることを特徴とする自動取引装置。
【請求項６】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、顧客に出金して顧客が取忘れた紙幣を収納する出金取忘れ取込紙幣収納部と、紙幣を搬送する複数の搬送路とを備えた自動取引装置において、
前記分離部から前記鑑別部を経て前記出金取忘れ取込紙幣収納部に至る前記搬送路で形成される出金取忘れ紙幣搬送路を設け、
前記分離部に投入された紙幣を繰出して、前記出金取忘れ紙幣搬送路により前記出金取忘れ取込紙幣収納部に搬送して集積する出金取忘れ取込紙幣収納処理を実行している場合に、前記出金取忘れ紙幣搬送路におけるジャムの発生を検出する手段と、
該ジャムの発生を検出したときに、前記出金取忘れ紙幣搬送路を前記集積部の方向に空転させて、前記出金取忘れ紙幣搬送路に残留する残留紙幣を、前記集積部へ搬送して除去する手段と、
前記残留紙幣の除去後に、前記分離部から１枚の紙幣を繰出して前記出金取忘れ紙幣搬送路により前記集積部へ搬送して集積するクリーニング手段と、を備えることを特徴とする自動取引装置。
【請求項７】
顧客が投入した紙幣を１枚毎に分離して繰出す分離部、および顧客に引渡す紙幣を集積する集積部を有する接客口と、
顧客が投入した紙幣を一時保留する一時保留部と、紙幣に対する各種の鑑別を行う鑑別部と、
出金に用いる紙幣および／もしくは入金された紙幣を収納する紙幣収納部と、
出金には適さない紙幣と鑑別された紙幣を収納する出金リジェクト紙幣収納部と、
顧客が入金して取引未完了の紙幣を収納する取引未完了取込紙幣収納部と、
顧客に出金して顧客が取忘れた紙幣を収納する出金取忘れ取込紙幣収納部と、
紙幣を搬送する複数の搬送路とを備えた自動取引装置において、
前記分離部から前記鑑別部を経て前記一時保留部に至る前記搬送路で形成される取込紙幣搬送路と、
該取込紙幣搬送路の前記鑑別部と前記一時保留部との間で分岐して前記集積部に至る前記搬送路で形成される入金リジェクト紙幣搬送路と、
前記一時保留部から前記鑑別部を経て前記集積部に至る前記搬送路で形成される第１の返却紙幣搬送路と、
前記一時保留部から前記鑑別部を経て前記紙幣収納部に至る前記搬送路で形成される収納紙幣搬送路と、
前記紙幣収納部から前記鑑別部を経て前記集積部に至る前記搬送路で形成される出金紙幣搬送路と、
該出金紙幣搬送路の前記鑑別部と前記集積部との間で分岐して前記出金リジェクト紙幣収納部に至る前記搬送路で形成される出金リジェクト紙幣搬送路と、
前記一時保留部から前記鑑別部を経て前記取引未完了取込紙幣収納部に至る前記搬送路で形成される取引未完了取込紙幣搬送路と、
前記分離部から前記鑑別部を経て前記出金取忘れ取込紙幣収納部に至る前記搬送路で形成される出金取忘れ紙幣搬送路とを設け、
前記搬送路におけるジャムの発生を検出するジャム検出手段と、
該ジャムの発生を検出したときに、実行している取引処理に応じて所定の搬送路を動作させて搬送路に残留する残留紙幣を規定の部位へ搬送して除去する残留紙幣除去手段と、
前記残留紙幣の除去後に、実行している取引処理に応じて所定の箇所から１枚の紙幣を繰出して所定の部位へ搬送して集積するクリーニング手段とを備えることを特徴とする自動取引装置。
【請求項８】
請求項１ないし請求項７のいずれか一項において、
前記クリーニング手段が、正常に終了しなかった場合に、前記残留紙幣の除去作業待ち状態で待機する手段を備えることを特徴とする自動取引装置。